(57)【特許請求の範囲】
【請求項１】
ドアの開閉動作に連動して相対回転する二部材と、上記一方の部材に固定された上記二部材間の枢軸となる枢着軸と、上記枢着軸に対して軸方向に移動可能にかつ回転可能に外挿された外挿体と、上記外挿体と上記一方の部材との対向部に介在するセレーション部と、上記外挿体と上記他方の部材とが所定の位置関係に達したところで、両者のそれ以上の相対回転を規制するストッパ機構と、上記枢着軸に対して軸方向に移動可能に取り付けられた上記外挿体に対向する押え部材と、上記押え部材を上記枢着軸の軸方向に移動させて上記セレーション部の噛合及び離反を選択的に保持するロック機構とを具備したドアクローザのストップ装置において、上記押え部材と上記外挿体と上記枢着軸の三者に接するように転がり部材が設けられ、上記枢着軸側には、上記ロック機構により上記セレーション部が噛合する時に上記押え部材と共に上記転がり部材を拘束し上記ロック機構により上記セレーション部が離反する時に上記転がり部材を解放する逃げ部が形成され、上記押え部材側には、上記ロック機構により上記セレーション部が噛合する時に上記枢着軸の逃げ部と共に上記転がり部材を拘束して上記転がり部材を上記押え部材に対し上記枢着軸の垂直方向に押圧し上記ロック機構により上記セレーション部が離反する時に上記転がり部材を解放する環状壁が形成されたことを特徴とするドアクローザのストップ装置。
【発明の詳細な説明】
【０００１】
【発明の属する技術分野】
本発明は、ドアを開放状態で保持するためのドアクローザのストップ装置に関する。
【０００２】
【従来の技術】
特開平１１−５０７３９号公報、特許第２８８２５２６号公報、特開平１１−３０３５０１号公報は、ドアクローザのストップ装置について開示する。これらのドアクローザのストップ装置はいずれもドアの開閉動作に連動して相対回転する二部材と、一方の部材に固定された二部材間の枢軸となる枢着軸と、枢着軸に対して軸方向に移動可能にかつ回転可能に外挿された外挿体と、外挿体と一方の部材との対向部に介在するセレーション部と、外挿体と他方の部材とが所定の位置関係に達したところで、両者のそれ以上の相対回転を規制するストッパ機構と、枢着軸に対して軸方向に移動可能に取り付けられた、外挿体に対向する押え部材と、押え部材を枢着軸の軸方向に移動させてセレーション部の噛合及び離反を選択的に保持するロック機構とを具備している。
【０００３】
特開平１１−５０７３９号公報、特許第２８８２５２６号公報のドアクローザのストップ装置は、ロック機構としてカム機構を採用しており、ドアの開放角度を変更するには、まずカム機構を操作してカムの最大変位量分押え部材を降下させる。これにより、外挿体が枢着軸上を下り、セレーション部が離反する。そこで、外挿体を枢着軸上で所望角度だけ回転させ、カム機構を逆向きに操作してカムの最大変位量だけ押え部材を上げると、外挿体が枢着軸上を上昇し、セレーション部が噛合する。この状態でドアを開けると外挿体と他の部材は変更された角度位置で係合することとなり、ドアも同様な角度位置で停止することになる。
【０００４】
また、特開平１１−３０３５０１号公報のドアクローザのストップ装置は、ロック機構として係合ピン及び係止溝を採用しており、ドアの開放角度を変更するには、まず係止溝を有する摘みを回して係合ピンが係合する係止溝の位置を変更し押え部材を降下させる。これにより、外挿体が枢着軸上を降下し、セレーション部が離反する。そこで、外挿体を枢着軸上で所望角度だけ回転させ、摘みを逆向きに操作して係合ピンと係止溝との位置関係をもとに戻し押え部材を上昇させると、外挿体が枢着軸上を上昇し、セレーション部が再び噛合する。この状態でドアを開けると外挿体と他の部材は変更された角度位置で係合し、ドアも同様な角度位置で停止する。
【０００５】
【発明が解決しようとする課題】
従来のドアクローザのストップ装置は、セレーション部の係合力がロック機構に直接作用するので、ドアのストップ位置を変更する際にロック機構を手で操作するには、ある程度の強い操作力を必要とする。従って、ドアのストップ位置の変更が容易でないという問題があった。
【０００６】
本発明は、ドアの開放時の停止位置の調整を小さな力で簡易に行うことができるドアクローザのストップ装置を提供することを目的とする。
【０００７】
【課題を解決するための手段】
上記課題を解決するため、請求項１に係る発明は、ドア（１）の開閉動作に連動して相対回転する二部材（４，５）と、上記一方の部材（４又は５）に固定された上記二部材（４，５）間の枢軸となる枢着軸（８）と、上記枢着軸（８）に対して軸方向に移動可能にかつ回転可能に外挿された外挿体（１３）と、上記外挿体（１３）と上記一方の部材（４又は５）との対向部に介在するセレーション部（１４ａ，１４ｂ）と、上記外挿体（１３）と上記他方の部材（５又は４）とが所定の位置関係に達したところで、両者のそれ以上の相対回転を規制するストッパ機構（１６等）と、上記枢着軸（８）に対して軸方向に移動可能に取り付けられた上記外挿体（１３）に対向する押え部材（２１）と、上記押え部材（２１）を上記枢着軸（８）の軸方向に移動させて上記セレーション部（１４ａ，１４ｂ）の噛合及び離反を選択的に保持するロック機構（２４，２５等）とを具備したドアクローザのストップ装置において、上記押え部材（２１）と上記外挿体（１３）と上記枢着軸（８）の三者に接するように転がり部材（２６）が設けられ、上記枢着軸（８）側には、上記ロック機構（２４，２５等）により上記セレーション部（１４ａ，１４ｂ）が噛合する時に上記押え部材（２１）と共に上記転がり部材（２６）を拘束し上記ロック機構（２４，２５等）により上記セレーション部（１４ａ，１４ｂ）が離反する時に上記転がり部材（２６）を解放する逃げ部（２８）が形成され、上記押え部材（２１）側には、上記ロック機構（２４，２５等）により上記セレーション部（１４ａ，１４ｂ）が噛合する時に上記枢着軸（８）の逃げ部（２８）と共に上記転がり部材（２６）を拘束して上記転がり部材（２６）を上記押え部材（２１）に対し上記枢着軸（８）の垂直方向に押圧し上記ロック機構（２４，２５等）により上記セレーション部（１４ａ，１４ｂ）が離反する時に上記転がり部材（２６）を解放する環状壁（２７ａ）が形成されたドアクローザのストップ装置を採用する。
【０００８】
【発明の実施の形態】
次に、本発明の実施の形態について図面を参照して説明する。
【０００９】
＜実施の形態１＞
図１に示すように、ドアクローザは、ドア１の上部に装着されるドアクローザ本体２と、ドア１の周囲に設けられたドア枠３の上枠に下方から固定されるブラケット４とを有している。ブラケット４には角筒状のストップリンク５の一端が回動自在に連結される。ストップリンク５の他端には伸縮リンク６が螺動可能に装着され、その伸縮リンク６の先端はアーム７の一端と回動自在に連結される。アーム７の他端はドアクローザ本体２の回転軸に連結される。
【００１０】
図２乃至図６に示すように、ドアクローザのストップ装置は、ドア１の開閉動作に連動して相対回転する二部材を具備する。この実施の形態では一方の部材はブラケット４が対応し、他方の部材はストップリンク５が対応する。
【００１１】
一方の部材であるブラケット４には、二部材間の枢軸となる枢着軸８が固定される。ブラケット４はドア枠３から略水平方向に突出し、枢着軸８はブラケット４の水平な先端部から垂直下方に突出する。ブラケット４の先端部には下方向に垂直に伸びるセレーション軸９が固着され、このセレーション軸９に形成された雌ネジに枢着軸８の上端部に形成された雄ネジが螺合する。この雄ネジはブラケット４を上方に貫通し、ブラケット４の上面に当てられる調整板１０と螺合する。ブラケット４は雌雄のネジを介してセレーション軸９の上端と調整板１０の下面とで上下から挟み込まれ、枢着軸８は同じく雌雄のネジを介してブラケット４に垂直に固定される。なお、枢着軸８はブラケット４にセレーション軸９を介して又は直接に接着剤等により固着してもよく、その場合は調整板１０を省略することができる。
【００１２】
他方の部材であるストップリンク５がブラケット４に連結される端には、貫通穴が垂直方向に形成され、すり割り溝１１が貫通穴と交差するように水平方向すなわちストップリンク５の軸方向に形成される。ストップリンク５の端はすり割り溝１１により上腕５ａと下腕５ｂとに二分割される。枢着軸８はストップリンク５の貫通穴を上下に貫通し、枢着軸８と一体のセレーション軸９がブッシュである軸受１２を介しストップリンク５の上腕５ａの貫通穴内に回転可能に支持される。
【００１３】
ストップリンク５のすり割り溝１１には板カムである外挿体１３が挿入される。外挿体１３は同時に枢着軸８に対し回転可能に外挿される。すり割り溝１１は外挿体１３の厚さよりも幅広に形成され、そのため外挿体１３は枢着軸８に対してその軸方向に移動可能である。
【００１４】
この外挿体１３と一方の部材であるブラケット４側のセレーション軸９との対向部には、セレーション部１４ａ，１４ｂが形成される。外挿体１３が枢着軸８上を上方向に移動するとセレーション部１４ａ，１４ｂが噛み合い、このセレーション部１４ａ，１４ｂの噛み合いにより外挿体１３はブラケット４と一体化する。逆に、外挿体１３が枢着軸８上を下方向にスライドするとセレーション部１４ａ，１４ｂが離反し、外挿体１３はブラケット４に対し枢着軸８を軸にして回動可能になる。
【００１５】
ストップリンク５の内部には、このストップリンク５と外挿体１３とが所定の位置関係に達したところで、両者のそれ以上の相対回転を規制するストッパ機構が設けられている。すなわち、ストップリンク５にはその中心軸に沿ってトンネル状の空洞１５が形成され、この空洞１５がストップリンク５の前端からすり割り溝１１へと通じている。空洞１５がすり割り溝１１に連通する箇所には鋼製のボール１６が設けられ、このボール１６に外挿体１３の先端のカム片１３ａが係合するようになっている。ボール１６は空洞１５内に挿入された弾性部材である圧縮コイルバネ１７によりすり割り溝１１の方に付勢される。圧縮コイルバネ１７の圧縮力は空洞１５内に形成された雌ネジに螺合する調整ネジ１８を螺進退させることで調整可能である。ドア１の開閉に伴い、ストップリンク５と外挿体１３とが相対回転すると、外挿体１３のカム片１３ａがボール１６に係合したり、係合を解除したりする。外挿体１３がボール１６と係合するとドア１はその開かれた角度位置に静止し、ドア１に閉方向に力が加えられるとボール１６が外挿体１３のカム片１３ａを乗り越えドア１が閉じる。
【００１６】
ストップリンク５の空洞１５の雌ネジには伸縮リンク６の雄ネジが螺合し、伸縮リンク６を空洞１５の雌ネジに対し螺進退させることによりストップリンク５の長さを加減することができる。
【００１７】
ストップリンク５のすり割り溝１１により分割された下腕５ｂ側の貫通穴内には、ブッシュである軸受１９を介しガイド筒２０がスライド可能に支持され、さらにガイド筒２０内に筒状の押さえ部材２１がスライド可能に挿入される。枢着軸８はこの押さえ部材２１の中心を上下に貫通する。ガイド筒２０の上端は外挿体１３の下面に対向し、押え部材２１の上部はガイド筒２０よりも低い位置で外挿体１３の下面に対向する。ガイド筒２０は押え部材２１に対し、押え部材２１は枢着軸８に対しその軸方向にスライドしつつ移動可能である。ガイド筒２０及び押え部材２１の下端がストップリンク５の下腕５ｂより下方に突出した箇所には夫々鍔部が形成され、両鍔部間には弾性部材である波座金２２が挿入されている。押え部材２１が枢着軸８上を上方向にスライドすると、押え部材２１に支えられるガイド筒２０の上端が外挿体１３を押し上げ、その結果セレーション部１４ａ，１４ｂが係合し、逆に押え部材２１が枢着軸８上を下方向にスライドすると、押え部材２１に支えられるガイド筒２０の上端が外挿体１３から離反し、その結果セレーション部１４ａ，１４ｂの係合が解かれる。
【００１８】
なお、ガイド筒２０は省略可能であり、押え部材２１によって直接外挿体１３の昇降を行うこともできる。その場合、弾性部材である波座金２２は例えば押え部材２１と次に述べるロック機構との間に設けられる。
【００１９】
枢着軸８の下端と押え部材２１の下端との間には、押え部材２１を枢着軸８の軸方向に移動させてセレーション部１４ａ，１４ｂの噛合と離反を選択的に保持するロック機構が設けられている。ロック機構は、枢着軸８の下端部に枢着軸８に直角に挿入されるピン２３により軸支されるカム２４と、カム２４に一体的に設けられた操作レバー２５とを具備する。カム２４は例えば板カムであり、図５及び図６に示すように操作レバー２５を二位置間で切り換えることにより押え部材２１の押圧を解きセレーション部１４ａ，１４ｂを離反させるか又は押え部材２１を上方向に押圧してセレーション部１４ａ，１４ｂを噛み合わせるようなカム曲線を有する。
【００２０】
上記ロック機構によりガイド筒２０又は押え部材２１を直接外挿体１３に押し付けるようにすると操作レバー２５上のカム２４に大きな反力が加わり、ドア１のストップ位置を変更する際にロック機構のロック・アンロックに大きな操作力を必要とする。本発明においてはこれを防止するため、次のような構成が採用される。
【００２１】
すなわち、図３、図５乃至図７に示すように、押え部材２１と外挿体１３と枢着軸８の三者間にはこれら三者に接するように転がり部材２６が挿入される。また、枢着軸８側には、ロック機構によりセレーション部１４ａ，１４ｂが噛合する時に押え部材２１と共に転がり部材２６を拘束しロック機構によりセレーション部１４ａ，１４ｂが離反する時に転がり部材２６を解放する逃げ部２８が形成される。また、押え部材２１側には、ロック機構によりセレーション部１４ａ，１４ｂが噛合する時に枢着軸８の逃げ部２８と共に転がり部材２６を拘束して転がり部材２６を押え部材２１に対し枢着軸８に垂直方向に押圧しロック機構によりセレーション部１４ａ，１４ｂが離反する時に転がり部材２６を解放する逃げ部２７が形成される。
【００２２】
押え部材２１側の逃げ部２７は、枢着軸８との間の摺接面を環状に切除することにより形成される環状凹部として形成され、枢着軸８の摺接面に正対する環状壁２７ａを有し、外挿体１３に対向する箇所に環状の開口を有する。環状壁２７ａは枢着軸８の軸方向に平行な壁面を有する例えば円筒壁であるのが望ましいが、円錐台状に多少傾斜していてもよい。枢着軸８側の逃げ部２８は、押え部材２１との間の摺接面を環状に切除することにより環状凹溝として形成される。また、図５及び図６に示すように、押え部材２１側の逃げ部２７の深さすなわち環状壁２７ａと枢着軸８の摺接面との間の幅は転がり部材２６の半径よりもやや大きく、枢着軸８側の逃げ部２８の深さは転がり部材２６の半径よりもやや小さく、両者の深さを合わせると転がり部材２６の直径に略等しくなるように形成される。
【００２３】
これにより、図５に示すように、ロック機構がアンロック状態とされ両逃げ部２７，２８がずれるときは転がり部材２６が両逃げ部２７，２８による挟持から解放される。このアンロック状態では、転がり部材２６は両逃げ部２７，２８から押し出された状態で押え部材２１と枢着軸８とで支えられ、この転がり部材２６の上に枢着軸８上を下方にスライドしセレーション軸９から離れた外挿体１３が乗り上がる。
【００２４】
また、図６に示すようにロック機構がロック状態とされ両逃げ部２７，２８が重なり合うときは転がり部材２６が両逃げ部２７，２８により挟持され拘束される。このロック状態では、図７に示すように、セレーション部１４ａ，１４ｂが噛み合うことにより、転がり部材２６には押え部材２１と外挿体１３と枢着軸８の三者から力が作用し、これら三力が釣り合う。すなわち、セレーション部１４ａ，１４ｂの噛み合いにより生ずる力ｆ0が外挿体１３を介し転がり部材２６にｆ1（＝ｆ0）として作用し、転がり部材２６は枢着軸６の逃げ部２８を介し枢着軸８に力ｆ4を加え、押え部材２１に力ｆ5を加える。力ｆ4は転がり部材２６が枢着軸８の逃げ部２８との接触により枢着軸８に作用する力の合力であり、分力ｆ2，ｆ3に分解され、分力ｆ2はｆ1に等しく、分力ｆ3は力ｆ5と大きさが等しく向きが反対となる。要するに、押え部材２１に作用する力ｆ5は、環状壁２７ａを介し枢着軸８の軸方向に垂直に作用し、軸方向には作用しないので、ロック機構には直接作用しなくなり、ロック機構のロック・アンロックを極めて小さな操作力で行うことができる。
【００２５】
転がり部材２６は、具体的には鋼製のボールであり、多数のボールが図９及び図１０に示すように、両逃げ部２７，２８間に環状に配置される。
【００２６】
次に、上記構成を備えたドアクローザのストップ装置の作用について説明する。
【００２７】
図８（Ａ）（Ｂ）に示すように、ロック機構の操作レバー２５をロック位置に操作すると、ロック機構のカム２４が押え部材２１を外挿体１３側へと押し上げ、まず、ガイド筒２０が弾性部材である波座金２２を介し押え部材２１により押し上げられ、その上端が外挿体１３の下面に当接する。セレーション部１４ａ，１４ｂは波座金２２の弾性の作用により相互に押し付けられるので、円滑に噛み合うことになる。続いて、図６、図７、図８（Ａ）、図９に示すように、押え部材２１の逃げ部２７と枢着軸８の逃げ部２８とが重なり合って転がり部材２６を挟み込み、転がり部材２６は外挿体１３をセレーション軸９側へと押し付ける。
【００２８】
これにより、外挿体１３側のセレーション部１４ａとブラケット４側のセレーション部１４ｂとが強く噛み合ってブラケット４と外挿体１３とが連結され一体化される。図１乃至図３から明らかなように、この状態でドア１が開かれると、ブラケット４に対してストップリンク５が回転し、それ伴ってストップリンク５に内蔵されたボール１６が外挿体１３のカム片１３ａの外周面上を移動する。そして、ドア１の開度が所定位置に達した時点でボール１６がカム片１３ａの嵌合凹部と嵌合し、ドア１の閉方向の復帰が阻止される。ドア１を閉じる場合はドア１を軽く押すことでボール１６がカム片１３ａの嵌合凹部から離脱し、ドア１はドアクローザの作用により自動的に閉じる。
【００２９】
ドア１の開度を変更する場合は、図８（Ａ）（Ｂ）（Ｃ）に示すように、ロック機構の操作レバー２５をピン２３の廻りでアンロック側に回転させればよい。図７に示したように、セレーション部１４ａ，１４ｂの噛み合いにより、押え部材２１には転がり部材２６と環状壁２７ａとの接触により枢着軸８に垂直な方向に力ｆ5が作用するが、枢着軸８の軸方向には力が作用しないので、ロック機構にはロックによる大きな力が直接作用しない。従って、操作レバー２５のアンロック操作は小さな力で簡易に行われる。
【００３０】
ロック機構の操作レバー２５が、図５、図８（Ｃ）、図１０に示すように、アンロック位置へと操作されると、押え部材２１及びガイド筒２０が自重により下方に移動する。これにより、押え部材２１の逃げ部２７が枢着軸８の逃げ部２８からずれ、転がり部材２６は両逃げ部材２７，２８による挟持から解放されて図７に示した力ｆ1、ｆ4、ｆ5が除去され、押え部材２１と共に降下する。従って、外挿体１３は転がり部材２６による押圧から解放されてすり割り溝１１内を枢着軸８に沿って降下し、セレーション部１４ａ，１４ｂの噛み合いが外れる。
【００３１】
この状態で外挿体１３を枢着軸８の廻りに所望角度回転させ、その後に操作レバー２５をロック位置に復帰させ、再度セレーション部１４ａ，１４ｂを噛み合わせることにより、ドア１の停止位置すなわちボール１６と外挿体１３のカム片１３ａとが嵌合するときのドア１の開度を変化させることができる。
【００３２】
＜実施の形態２＞
図１１及び図１２に示すように、この実施の形態２におけるドアクローザのストップ装置は、実施の形態１において転がり部材２６として用いられたボールに代えローラが用いられている。これらのローラもボールの場合と同様に両逃げ部２７，２８間に環状に配置される。
【００３３】
図１１に示すように、ロック機構の操作レバー２５がロック側に操作されると、両逃げ部２７，２８が重なり合ってローラである転がり部材２６を拘束し、図６に示すように、転がり部材２６が外挿体１３をセレーション軸９の方に押し上げ、これによりセレーション部１４ａ，１４ｂが噛み合う。また、図１２に示すように、ロック機構の操作レバー２５がアンロック側に操作されると、両逃げ部２７，２８がずれて転がり部材２６が解放され、図５に示すように、転がり部材２６は外挿体１３を支えつつ押え部材２１とともに降下し、これによりセレーション部１４ａ，１４ｂの噛み合いが解かれる。
【００３４】
なお、図１１（Ｃ）に示すように、逃げ部２７，２８は枢着軸８の全周でなく局所的に形成することもでき、また、その形状も円筒形に限らず角筒等他の形状とすることができる。
【００３５】
＜実施の形態３＞
図１３に示すように、この実施の形態３におけるドアクローザのストップ装置では、実施の形態１におけるセレーション軸９がブラケット４から切り離され、セレーション軸９とブラケット４の対向部にセレーション部１４ａ，１４ｂが形成されている。セレーション軸９は外挿体１３と凹凸歯２９により常時噛み合っており、一体で回転可能である。セレーション軸９は外挿体１３と当初より一体的に形成することも可能である。
【００３６】
また、ロック機構は、押え部材２１の下面に形成された端面カム３０と、枢着軸８の下端部に枢着軸８の周りに回転可能に保持された操作ノブ３１とを具備する。操作ノブ３１における端面カム３０に対向する箇所には突起３２が形成されている。
【００３７】
操作ノブ３１を図１３（Ｂ）において実線で示すロック位置から二点鎖線で示すアンロック位置に回すと、その突起３２が端面カム３０のリフト位置から外れ、押え部材２１が操作ノブ３１の突起３２による押圧から解放されて枢着軸８上を降下し、外挿体１３及びセレーション軸９も降下し、セレーション部１４ａ，１４ｂの噛み合いが解かれる。
【００３８】
次に、外挿体１３をセレーション軸９と共に枢着軸８の回りで所望角度だけ回転させ、操作ノブ３１を図１３（Ｂ）において二点鎖線で示すアンロック位置から実線で示すロック位置に回すと、その突起３２が端面カム３０のリフト位置へと移動し、押え部材２１が操作ノブ３１の突起３２により押圧されて枢着軸８上を上昇し、外挿体１３及びセレーション軸９も上昇し、セレーション部１４ａ，１４ｂが再び噛み合う。
【００３９】
＜実施の形態４＞
図１４に示すように、この実施の形態４におけるドアクローザのストップ装置では、ロック機構としてネジが使用される。すなわち、枢着軸８の下端部には雄ネジ３３が形成され、この雄ネジ３３にナット３４の雌ネジが螺合している。ナット３４を枢着軸８上でロック位置とアンロック位置との間を螺進退させることにより、セレーション部１４ａ，１４ｂの噛み合いと離反とを切り換えることができる。ナット３４は単なるナットのほか蝶ナット等を用いることもできる。
【００４０】
＜実施の形態５＞
図１５に示すように、この実施の形態５におけるドアクローザのストップ装置では、ロック機構の操作部が押え部材２１に一体的に設けられている。すなわち、押え部材２１の下端に摘み片３５が設けられている。また、押え部材２１の摺接面には環状の突起３６が設けられ、枢着軸８の摺接面にはＣリング等からなる弾性片３７が嵌め込まれている。枢着軸８の下端には押え部材２１の抜け止め用のストッパ３８がフランジ状に設けられている。
【００４１】
摘み片３５に指が掛けられ押え部材２１が図１５の実線で示すロック位置からアンロック位置まで引き下げられると、押え部材２１の突起３６が弾性片３７を下方に乗り越え、その逃げ部２７が枢着軸８側の逃げ部２８からずれる結果、外挿体１３は転がり部材２６による下方からの押圧から解放され、セレーション部１４ａ，１４ｂの噛み合いが解かれる。
【００４２】
＜実施の形態６＞
図１６乃至図１８に示すように、この実施の形態６におけるドアクローザのストップ装置では、セレーション部が、横セレーション部１４ａ，１４ｂと縦セレーション部３９ａ，３９ｂの双方で構成されている。セレーション軸９はストップリンク５の貫通穴に挿入される太筒部を有し、この太筒部の下端からすり割り溝１１内に突出する細筒部４０を有し、外挿体１３はこの細筒部４０を受容する貫通穴を有する。横セレーション部１４ａ，１４ｂは実施の形態１乃至５で用いられるものと同様にセレーション軸９の太筒部の下端面とこれに対向する外挿体１３の上面とに形成される。縦セレーション部３９ａ，３９ｂは、外挿体１３の貫通穴の内周面とセレーション軸９の細筒部４０の外周面とに形成される。
【００４３】
ロック機構の操作レバー２５を図１６に示すロック位置から図１７に示すアンロック位置に回すと、そのカム２４のリフト部による押圧から解放されて押え部材２１と外挿体１３の双方が枢着軸８上を降下し、横セレーション部１４ａ，１４ｂと縦セレーション部３９ａ，３９ｂの双方の噛み合いが解除される。
【００４４】
次に、外挿体１３を枢着軸８及びセレーション軸９の細筒部４０の回りで所望角度だけ回転させ、操作レバー２５をアンロック位置からロック位置に回すと、押え部材２１がカム２４のリフト部により押圧されて枢着軸８に沿って上昇し、外挿体１３も上昇し、横セレーション部１４ａ，１４ｂと縦セレーション部３９ａ，３９ｂの双方が夫々再び噛み合わされる。
【００４５】
このように、ロック状態においてセレーション軸９と外挿体１３は縦横二種類のセレーション部３９ａ，３９ｂ，１４ａ，１４ｂにより係合することになるので、両者の係合力が高められる。
【００４６】
＜実施の形態７＞
図１９及び図２０に示すように、この実施の形態７におけるドアクローザのストップ装置では、枢着軸８側の逃げ部２８が環状溝ではなく段差により形成される。すなわち、枢着軸８の押え部材２１で囲まれる箇所は大径部８ａとして形成され、それよりも上部は小径部８ｂとして形成され、大径部８ａと小径部８ｂとの境界部に段差８ｃが形成される。
【００４７】
ロック機構の操作レバー２５を図１９に示すロック位置から図２０に示すアンロック位置に回すと、そのカム２４のリフト部による押圧から解放されて押え部材２１が枢着軸８上を降下し、二つの逃げ部２７，２８がずれることで転がり部材２６が逃げ部２７，２８外に離脱する。外挿体１３は転がり部材２６による押し上げから解放されて枢着軸８上を降下する。その結果、セレーション部１４ａ，１４ｂの噛み合いが解かれる。
【００４８】
次に、外挿体１３を枢着軸８の回りでセレーション軸９に対し所望角度だけ回転させ、操作レバー２５をアンロック位置からロック位置に回すと、押え部材２１がカム２４のリフト部により押圧されて枢着軸８に沿って上昇し、二つの逃げ部２７，２８が重なり合って転がり部材２６が逃げ部２７，２８間に挟み込まれ拘束される。その結果、転がり部材２６により外挿体１３がセレーション軸９の方に突き上げられ、セレーション部１４ａ，１４ｂが再び噛み合う。
【００４９】
この実施の形態７によれば、押え部材２１側の逃げ部２７は省略可能である。すなわち、押え部材２１の枢着軸８に対する摺接面をそのまま環状壁２７ａとして使用しても、この環状壁２７ａと枢着軸８の小径部８ｂと外挿体１３の三者で転がり部材２６を保持することができ、上述したと同様な作用を果たすことができる。
【００５０】
この実施の形態７において、図２１に示すように、枢着軸８にはその大径部８ａよりも大きな大径部８ｄを設け、両径部８ａ，８ｄ間に段差８ｅを形成すると、転がり部材２６は逃げ部２８外へより容易に離脱する。
【００５１】
なお、上記各実施の形態においてストップ装置はブラケット４とストップリンク５との間に設けられているが、これに限定されるものではなく、例えば伸縮リンク６とアーム７との間、あるいはアーム７とドアクローザ本体２との間に設けてもよい。
【００５２】
また、上記各実施の形態ではドア１を閉めたときにドア１と伸縮リンク６やアーム７とが略平行となるいわゆるパラレルタイプのドアクローザについて説明したが、伸縮リンク６やアーム７がドア１に対してほぼ直交するいわゆるスタンダードタイプのドアクローザにも本発明を適用することができる。
【００５３】
【発明の効果】
請求項１に係る発明によれば、セレーション部の噛み合いにより枢着軸の軸方向に生じる力がロック機構に作用しないため、ドアのストップ位置の調整時におけるロック機構の操作力を非常に小さくすることができ、ドアのストップ位置の調整を簡易且つ迅速に行うことができる。また、外挿体と枢着軸と押え部材との間に転がり部材が介在するので、ドアの停止と停止解除の際に外挿体に作用する力がロック機構に直接作用しないため、ロック機構の緩みを防止することができる。
【図面の簡単な説明】
【図１】本発明のストップ装置が組み込まれたドアクローザの全体を示す斜視図である。
【図２】ドアクローザのストップリンクとブラケットとの連結部を斜め下方からみた状態を示す斜視図である。
【図３】図２に示した連結部の内部構造を示す断面図である。
【図４】図２に示した連結部の底面図である。
【図５】図３に示した連結部の内部構造の拡大図であり、セレーション部が離反した状態を示す。
【図６】図３に示した連結部の内部構造の拡大図であり、セレーション部が噛合した状態を示す。
【図７】図３に示した連結部の内部構造に作用する力の関係を示すベクトル図である。
【図８】ドアのストップ位置を変更する場合のストップ装置の動作説明図であり、（Ａ）はロック機構をロックした状態を示し、（Ｂ）はロックからアンロックに移行する状態を示し、（Ｃ）はアンロックした状態を示す。
【図９】ロック機構をロックした状態におけるストップ装置内の転がり部材の配置を示す図であり、（Ａ）は水平断面図、（Ｂ）は垂直断面図である。
【図１０】ロック機構をアンロックした状態におけるストップ装置内の転がり部材の配置を示す図であり、（Ａ）は水平断面図、（Ｂ）は垂直断面図である。
【図１１】本発明の実施の形態２に係るストップ装置を示す、図９と同様な図であり、（Ａ）は水平断面図、（Ｂ）は垂直断面図、（Ｃ）は実施の形態２に係るストップ装置の変形例を示す水平断面図である。
【図１２】本発明の実施の形態２に係るストップ装置を示す、図１０と同様な図であり、（Ａ）は水平断面図、（Ｂ）は垂直断面図である。
【図１３】本発明の実施の形態３に係るストップ装置を示し、（Ａ）は縦断面図、（Ｂ）は底面図である。
【図１４】本発明の実施の形態４に係るストップ装置を示し、（Ａ）は縦断面図、（Ｂ）は底面図である。
【図１５】本発明の実施の形態５に係るストップ装置を示し、（Ａ）は縦断面図、（Ｂ）は底面図である。
【図１６】本発明の実施の形態６に係るストップ装置を示す縦断面図であり、ロック機構をロックした状態を示す。
【図１７】本発明の実施の形態６に係るストップ装置を示す縦断面図であり、ロック機構をアンロックした状態を示す。
【図１８】本発明の実施の形態６に係るストップ装置のセレーション軸を示し、（Ａ）はその縦断面図、（Ｂ）は底面図である。
【図１９】本発明の実施の形態７に係るストップ装置を示す縦断面図であり、ロック機構をロックした状態を示す。
【図２０】本発明の実施の形態７に係るストップ装置を示す縦断面図であり、ロック機構をアンロックした状態を示す。
【図２１】本発明の実施の形態７に係るストップ装置の変形例を示す縦断面図であり、ロック機構をロックした状態を示す。
【符号の説明】
１…ドア
４…ブラケット
５…ストップリンク
８…枢着軸
１３…外挿体
１４ａ，１４ｂ…セレーション部
１６…ボール
２１…押え部材
２４…カム
２５…操作レバー
２６…転がり部材
２７…逃げ部
２７ａ…環状壁
３９ａ，３９ｂ…縦セレーション部
【図１】
0003790111.tif 000002
【図２】
0003790111.tif 000003
【図３】
0003790111.tif 000004
【図４】
0003790111.tif 000005
【図５】
0003790111.tif 000006
【図６】
0003790111.tif 000007
【図７】
0003790111.tif 000008
【図８】
0003790111.tif 000009
【図９】
0003790111.tif 000010
【図１０】
0003790111.tif 000011
【図１１】
0003790111.tif 000012
【図１２】
0003790111.tif 000013
【図１３】
0003790111.tif 000014
【図１４】
0003790111.tif 000015
【図１５】
0003790111.tif 000016
【図１６】
0003790111.tif 000017
【図１７】
0003790111.tif 000018
【図１８】
0003790111.tif 000019
【図１９】
0003790111.tif 000020
【図２０】
0003790111.tif 000021
【図２１】
0003790111.tif 000022